(57)【要約】【課題】並列に接続されたコンバータの循環電流が、当該コンバータと直流電源との間に接続されたフィルタに流れ込むのを、単純な構成によって阻止する。【解決手段】直流電力を出力する太陽電池１１０と、太陽電池１１０から出力される直流電力を入力して異なる電圧の直流電力に変換する複数のコンバータ１２０Ａ、１２０Ｂと、太陽電池１１０と機器に侵入するまたは機器から流出するノイズを除去する、各電源ラインに接続される複数のＥＭＣフィルタ１３０Ａ、１３０Ｂと、を備え、電源ラインを介して複数のコンバータ１２０Ａ、１２０Ｂを相互に循環する電流がＥＭＣフィルタ１３０Ａ、１３０Ｂを迂回して流れるように、それぞれのＥＭＣフィルタ１３０Ａ、１３０Ｂを、コンバータ側においてバイパスラインＰ１、Ｐ２によって並列に接続する。【選択図】図１
2014081837.tif 000002
【特許請求の範囲】
【請求項１】
直流電力を出力する直流電源と、
前記直流電源から出力される直流電力を入力し入力とは異なる電圧の直流電力に変換する複数のコンバータと、
機器への外来ノイズの侵入と前記機器からのノイズの流出を防止する、各入力に接続される複数のフィルタと、を備え、
前記直流電源を介して複数のコンバータを相互に循環する電流が前記フィルタを迂回して流れるように、前記それぞれのフィルタを、前記コンバータ側においてバイパスラインによって並列に接続することを特徴とする系統連系電源システム。
【請求項２】
前記フィルタとコンバータとの間には前記フィルタと並列にコンデンサが接続され、
前記バイパスラインは、前記フィルタと前記コンデンサとの間で、前記それぞれのフィルタを並列に接続することを特徴とする請求項１に記載の系統連系電源システム。
【請求項３】
前記フィルタはＥＭＣ（電磁妨害）フィルタであり、前記ＥＭＣフィルタ内には、１つのコアに同じ方向に複数の巻線を巻き、コモンモード電流に対しては高いインピーダンスを、ノーマルモード電流に対しては低いインピーダンスを示すコモンモードチョークコイルが設けられていることを特徴とする請求項１または２に記載の系統連系電源システム。
【請求項４】
前記ＥＭＣフィルタは、前記コンバータに対して個々に設けられていることを特徴とする請求項３に記載の系統連系電源システム。
【請求項５】
前記複数のコンバータから出力される直流電力を交流電力に変換して商用電源系統に出力するインバータをさらに有することを特徴とする請求項１から４のいずれかに記載の系統連系電源システム。
【請求項６】
前記ＥＭＣフィルタ内には、１つのコアに同じ方向に複数の巻線を巻き、同一方向に流れるコモンモード電流に対しては高いインピーダンスを、反対方向に流れるノーマルモード電流に対しては低いインピーダンスを示すコモンモードチョークコイルが設けられていることを特徴とする請求項１から５のいずれかに記載の系統連系電源システム。
【請求項７】
前記直流電源は、太陽エネルギーを直流電力に変換する太陽電池、供給される燃料から直流電力を発電する燃料電池、外部から供給される電気エネルギーを蓄えて直流電力を出力する二次電池のいずれかであることを特徴とする請求項１から６のいずれかに記載の系統連系電源システム。
【請求項８】
前記複数のコンバータの各々は、最大電力追従制御（ＭＰＰＴ）を行うことを特徴とする請求項１から６のいずれかに記載の系統連系電源システム。
【発明の詳細な説明】
【技術分野】
【０００１】
本発明は、並列に接続されたコンバータの循環電流が、当該コンバータと直流電源との間に接続されたＥＭＣフィルタに流れ込むのを、単純な構成によって阻止する、系統連系電源システムに関する。
【背景技術】
【０００２】
近年、太陽電池、燃料電池、二次電池などの直流電源から供給される直流電力を、交流電力に変換して系統に連系する系統連系電源システムが用いられている。
【０００３】
系統連系電源システムにおいて、複数の直流電源を設ける場合には、下記特許文献１に開示されているように、直流電源ごとにＤＣ／ＤＣコンバータを設け、全てのＤＣ／ＤＣコンバータの出力を並列に接続して、後段のＤＣ／ＡＣインバータに接続する。
【０００４】
直流電源ごとにＤＣ／ＤＣコンバータを設けるのは、直流電源が太陽電池である場合のように、取り出せる電力が自然環境や設置条件によって変動しても、自然環境や設置条件の変化に応じた最大の電力を取り出すための制御（ＭＰＰＴ制御）を直流電源ごとにするためである。なお、太陽電池の場合、取り付け面を均一な一平面で確保できて、太陽電池のストリング数（直列数）が統一できる場合には、ＭＰＰＴは複数必要ではなく、配線は１本で済むので、コンバータを並列に接続する。
【先行技術文献】
【特許文献】
【０００５】
【特許文献１】特開２０１２−１３７８３０号公報
【発明の概要】
【発明が解決しようとする課題】
【０００６】
ところが、直流電源ごとに設けたＤＣ／ＤＣコンバータを並列に接続すると、並列に接続したＤＣ／ＤＣコンバータ間に循環電流が流れ、その循環電流の影響で、各ＤＣ／ＤＣコンバータと直流電源との間に設けたＥＭＣフィルタのノイズ低減機能が低下する。
【０００７】
ＥＭＣフィルタは、機器への外来ノイズの侵入と機器からのノイズ流出を防止するために設ける。ＥＭＣフィルタは、ノイズによる機器の誤動作を防止したり、電源に雑音電圧や不要輻射が流出するのを防止したりする。
【０００８】
そのため、ＤＣ／ＤＣコンバータ間を流れる循環電流がＥＭＣフィルタのノイズ低減機能を低下させないようにしなければならない。
【０００９】
しかし、循環電流の影響を防止する専用回路を設けたのでは、系統連系電源システムの回路構成が複雑になったりコスト高になったりするという問題がある。たとえば、外部に別のＥＭＣフィルタを追加するような場合である。
【００１０】
本発明は、上記の問題点を解消するために成されたものであり、並列に接続されたコンバータの循環電流が、当該コンバータと直流電源との間に接続されたＥＭＣフィルタに流れ込むのを、単純な構成によって阻止する、系統連系電源システムの提供を目的とする。
【課題を解決するための手段】
【００１１】
上記目的を達成するための、本発明に係る系統連系電源システムは、直流電源、複数のコンバータ、複数のフィルタ及びバイパスラインを有する。
【００１２】
直流電源は直流電力を出力する。複数のコンバータは、直流電源から出力される直流電力を入力して入力とは異なる電圧の直流電力に変換する。複数のフィルタは、機器への外来ノイズの侵入と機器からのノイズ流出を防止する。電源を介して複数のコンバータを相互に循環する電流がフィルタを迂回して流れるように、それぞれのフィルタを、コンバータ側においてバイパスラインによって並列に接続する。
【発明の効果】
【００１３】
以上のように構成された本発明に係る系統連系電源システムによれば、それぞれのフィルタを、コンバータ側においてバイパスラインによって並列に接続するという、単純な構成を採用するだけで、複数のコンバータを相互に循環する電流がフィルタに流れ込むのを阻止でき、フィルタのノイズ低減機能を有効に発揮させることができる。
【図面の簡単な説明】
【００１４】
【図１】本実施形態に係る系統連系電源システムの構成図である。
【図２】コンバータの動作に関するタイミングチャートである。
【図３】コンバータ相互間に循環電流が流れるタイミングを示す図である。
【図４】バイパスラインを設けていない場合のＥＭＣフィルタ→Ｑ１→ＥＭＣフィルタの経路を流れる循環電流の説明に供する図である。
【図５】バイパスラインを設けた場合のコンバータ相互間の経路を流れる循環電流の説明に供する図である。
【図６】バイパスラインを設けていない場合のＥＭＣフィルタ→Ｑ２→ＥＭＣフィルタの経路を流れる循環電流の説明に供する図である。
【図７】バイパスラインを設けた場合のコンバータ相互間の経路を流れる循環電流の説明に供する図である。
【図８】バイパスラインを設けていない場合のＥＭＣフィルタ→Ｄ１→ＥＭＣフィルタの経路を流れる循環電流の説明に供する図である。
【図９】バイパスラインを設けた場合のコンバータ相互間の経路を流れる循環電流の説明に供する図である。
【図１０】バイパスラインを設けていない場合のＥＭＣフィルタ→Ｄ２→ＥＭＣフィルタの経路を流れる循環電流の説明に供する図である。
【図１１】バイパスラインを設けた場合のコンバータ相互間の経路を流れる循環電流の説明に供する図である。
【図１２】ＥＭＣフィルタの動作原理の説明図である。
【図１３】ノイズ低減効果を確認するための試験装置の構成図である。
【図１４】バイパスラインを設けていない場合のＥＭＣフィルタのノイズ低減効果の説明に供する図である。
【図１５】バイパスラインを設けた場合のＥＭＣフィルタのノイズ低減効果の説明に供する図である。
【発明を実施するための形態】
【００１５】
次に、本実施形態に係る系統連系電源システムを、図面を参照しながら詳細に説明する。
【００１６】
［系統連系電源システムの構成］
図１は、本実施形態に係る系統連系電源システムの構成図である。本実施形態に係る系統連系電源システム１００は、太陽電池１１０、複数のコンバータ１２０Ａ、１２０Ｂ、複数のＥＭＣフィルタ１３０Ａ、１３０Ｂ、インバータ１４０、解列用リレー１５０、ＥＭＣフィルタ１６０を有する。
【００１７】
太陽電池１１０は、太陽光のエネルギーを直流電力に変換して出力する。コンバータ１２０Ａ及び１２０Ｂは、太陽電池１１０から出力される直流電力を入力して入力とは異なる電圧の直流電力に変換する。コンバータ１２０Ａ及び１２０Ｂは、最大電力点追従制御（ＭＰＰＴ）を行うものであり、太陽電池１１０の最適動作電圧で電力変換する。ＥＭＣフィルタ１３０Ａ及びＥＭＣフィルタ１３０Ｂは、機器に侵入するまたは機器から流出するノイズを除去する。
【００１８】
インバータ１４０は、コンバータ１２０Ａ及び１２０Ｂから出力される直流電力を交流電力に変換して商用電源系統１７０に出力する。解列用リレー１５０は、インバータ１４０と商用電源系統１７０との間に設けられ、インバータ１４０と商用電源系統１７０との接続を断続する。ＥＭＣフィルタ１６０は、機器に侵入するまたは機器から流出するノイズを除去する。
【００１９】
ＥＭＣフィルタ１３０Ａとコンバータ１２０Ａとの間にはコンデンサＣ１ｉが、ＥＭＣフィルタ１３０Ｂとコンバータ１２０Ｂとの間にはコンデンサＣ２ｉが接続される。ＥＭＣフィルタ１３０Ａ及び１３０Ｂは、コンバータ１２０Ａとコンバータ１２０Ｂが動作することにより流れる循環電流がＥＭＣフィルタ１３０Ａ及び１３０Ｂに流れ込まないように、コンバータ側でバイパスラインＰ１、Ｐ２によって並列に接続される。
【００２０】
コンバータ１２０Ａは、スイッチング用のトランジスタＱ１、ダイオードＤ１、コイルＬ１を有し、コンバータ１２０Ｂは、スイッチング用のトランジスタＱ２、ダイオードＤ２、コイルＬ２を有する。
【００２１】
インバータ１４０と解列用リレー１５０との間に設けられている、Ｌｏ、Ｃｏで構成される回路は、商用電源系統に高周波成分が流れ込まないようにするために設ける低域フィルタである。
【００２２】
本発明に係る系統連系電源システムは、図１に示した構成以外に、コンバータを複数備え全てのコンバータがインバータに接続される構成のものであれば、様々な構成のものに対して適用可能である。
【００２３】
また、本実施形態では、直流電源として太陽電池を例示するが、直流電源は、太陽電池以外に、供給される燃料から直流電力を発電する燃料電池、外部から供給される電気エネルギーを蓄えて直流電力を出力する二次電池に対しても適用可能である。
【００２４】
［系統連系電源システムの動作］
次に、本実施形態に係る系統連系電源システムの動作を、図１から図１２を参照しながら説明する。系統連系電源システムの動作は、図１に記載した構成の系統連系電源システム１００に基づいて説明する。
【００２５】
図２は、コンバータの動作に関するタイミングチャートである。図２のタイミングチャートは、上から順に、コンバータ１２０ＡのトランジスタＱ１のゲートに与えるＱ１ゲート信号、コンバータ１２０ＢのトランジスタＱ２のゲートに与えるＱ２ゲート信号、トランジスタＱ１のコレクタ−エミッタ間を流れるＱ１コレクタ電流、トランジスタＱ２のコレクタ−エミッタ間を流れるＱ２コレクタ電流、ダイオードＤ１を流れるＤ１電流、ダイオードＤ２を流れるＤ２電流をそれぞれ示す。
【００２６】
図２のタイミングチャートは一例であるので詳しくは説明しない。トランジスタＱ１、Ｑ２、ダイオードＤ１、Ｄ２の動作バラツキや配置などによって、コンバータ相互間に循環電流が流れるタイミングが発生する。
【００２７】
図３は、コンバータ相互間に循環電流が流れるタイミングを示す図である。図１からパイパスラインＰ１、Ｐ２を除いた構成を有する、図４、６、８、１０に示す系統連系システムにおいて、図２に示すようにトランジスタＱ１とトランジスタＱ２とをＯＮ、ＯＦＦさせると、図３に示す各信号がＨＩの時に、コンバータ相互間に循環電流が流れる。
【００２８】
図３に示すように、Ｑ１ゲート信号がＨＩになって、トランジスタＱ１がＯＮしている時には、図４に示すように、ＥＭＣフィルタ１３０Ａ→Ｑ１→ＥＭＣフィルタ１３０Ｂの経路で循環電流が流れる。また、図３に示すように、Ｑ２ゲート信号がＨＩになって、トランジスタＱ２がＯＮしている時には、図６に示すように、ＥＭＣフィルタ１３０Ｂ→Ｑ２→ＥＭＣフィルタ１３０Ａの経路で循環電流が流れる。さらに、図３に示すように、Ｄ１電流がダイオードＤ１に流れる時には、図８に示すように、ＥＭＣフィルタ１３０Ａ→Ｄ１→ＥＭＣフィルタ１３０Ｂの経路で循環電流が流れる。そして、図３に示すように、Ｄ２電流がダイオードＤ２に流れる時には、図１０に示すように、ＥＭＣフィルタ１３０Ｂ→Ｄ２→ＥＭＣフィルタ１３０Ａの経路で循環電流が流れる。すなわち、循環電流は４つの経路で流れる。
【００２９】
なお、Ｑ１ゲート信号のデューティー比、Ｑ２ゲート信号のデューティー比は、コンバータ１２０Ａ及び１２０Ｂが、入力した直流電圧をどの程度まで昇圧するか、または負荷率によっても異なる。したがって、Ｑ１ゲート信号、Ｑ２ゲート信号、Ｄ１電流、Ｄ２電流がＨＩになるタイミングは、Ｑ１ゲート信号のデューティー比、Ｑ２ゲート信号のデューティー比によって異なる。図２に示す、Ｑ１ゲート信号、Ｑ２ゲート信号、Ｄ１電流、Ｄ２電流のＨＩ−ＬＯＷのタイミングは一例に過ぎない。
【００３０】
次に、本実施形態に係る系統連系電源システム１００のバイパスラインＰ１、Ｐ２を設けていないときの循環電流の流れ方と、バイパスラインＰ１、Ｐ２を設けたときの循環電流の流れ方を図４から図１１を参照して説明する。併せて、ＥＭＣフィルタ１３０Ａの具体的な構成とその動作を図１２に基づいて説明する。
【００３１】
図４は、バイパスラインＰ１、Ｐ２を設けていない場合のＥＭＣフィルタ１３０Ａ→Ｑ１→ＥＭＣフィルタ１３０Ｂの経路を流れる循環電流の説明に供する図である。Ｑ１ゲート信号がＨＩになって、トランジスタＱ１がＯＮしている時には、図４の点線で示すように、ＥＭＣフィルタ１３０Ａ→Ｌ１→Ｑ１→ＥＭＣフィルタ１３０Ｂの経路で循環電流が流れる。
【００３２】
ここで、循環電流がＥＭＣフィルタ１３０Ａ、１３０Ｂに与える悪影響の理解を容易にするために、ＥＭＣフィルタ１３０Ａの構成、動作について説明する。図１２は、ＥＭＣフィルタの動作原理の説明図である。ＥＭＣフィルタ１３０Ａ内には、１つのコアに同じ方向に複数の巻線１３５Ａ、１３５Ｂを巻き、同一方向に流れるコモンモード電流に対しては高いインピーダンスを、反対方向に流れるノーマルモード電流に対しては磁束が打ち消し合って低いインピーダンスを示すコモンモードチョークコイル１４０が設けられている。
【００３３】
コモンモードチョークコイル１４０に極端な往復電流のアンバランスが発生すると、コモンモードチョークコイル１４０が磁気飽和してしまい、ＥＭＣフィルタ１３０Ａとしてのノイズ低減機能が低下する。コモンモードチョークコイル１４０のコアの材料は、コモンモード電流に対しては大きなインピーダンスを持つコア材が使用されるが、大きなインピーダンスを持つコア材は特性上磁気飽和しやすいからである。
【００３４】
したがって、図４のように循環電流が流れると、ＥＭＣフィルタ１３０ＡとＥＭＣフィルタ１３０Ｂの両方とも、往復電流のアンバランスが発生して、磁気飽和を起こしてしまい、機器に侵入するまたは機器から流出するノイズを阻止することができなくなる。
【００３５】
図５は、バイパスラインＰ１、Ｐ２を設けた場合のコンバータ相互間の経路を流れる循環電流の説明に供する図である。Ｑ１ゲート信号がＨＩになって、トランジスタＱ１がＯＮしている時には、図５の点線で示すように、Ｃ１ｉ→Ｌ１→Ｑ１→バイパスラインＰ２またはＣ２ｉ→パイパスラインＰ１→Ｌ１→Ｑ１の経路で循環電流が流れる。したがって、循環電流はＥＭＣフィルタ１３０ＡとＥＭＣフィルタ１３０Ｂには流れなくなり、磁気飽和を起こすことがなくなるので、フィルタ機能の低下を阻止することができる。
【００３６】
図６は、バイパスラインＰ１、Ｐ２を設けていない場合のＥＭＣフィルタ１３０Ｂ→Ｑ２→ＥＭＣフィルタ１３０Ａの経路を流れる循環電流の説明に供する図である。Ｑ２ゲート信号がＨＩになって、トランジスタＱ２がＯＮしている時には、図６の点線で示すように、太陽電池→ＥＭＣフィルタ１３０Ｂ→Ｌ２→Ｑ２→ＥＭＣフィルタ１３０Ａの経路で循環電流が流れる。
【００３７】
したがって、図６のように循環電流が流れると、ＥＭＣフィルタ１３０ＡとＥＭＣフィルタ１３０Ｂの両方とも、磁気飽和を起こしてしまい、フィルタ機能が低下する。
【００３８】
図７は、バイパスラインＰ１、Ｐ２を設けた場合のコンバータ相互間の経路を流れる循環電流の説明に供する図である。Ｑ２ゲート信号がＨＩになって、トランジスタＱ２がＯＮしている時には、図７の点線で示すように、Ｃ２ｉ→Ｌ２→Ｑ２→バイパスラインＰ２またはＣ１ｉ→バイパスラインＰ１→Ｌ２→Ｑ２の経路で循環電流が流れる。したがって、循環電流はＥＭＣフィルタ１３０ＡとＥＭＣフィルタ１３０Ｂには流れなくなり、磁気飽和を起こすことがなくなるので、フィルタ機能の低下を阻止することができる。
【００３９】
図８は、バイパスラインＰ１、Ｐ２を設けていない場合のＥＭＣフィルタ１３０Ａ→Ｄ１→ＥＭＣフィルタ１３０Ｂの経路を流れる循環電流の説明に供する図である。Ｄ１電流がダイオードＤ１に流れる時には、図８の点線で示すように、太陽電池→ＥＭＣフィルタ１３０Ａ→Ｌ１→Ｄ１→ＥＭＣフィルタ１３０Ｂの経路で循環電流が流れる。
【００４０】
したがって、図８のように循環電流が流れると、ＥＭＣフィルタ１３０ＡとＥＭＣフィルタ１３０Ｂの両方とも、磁気飽和を起こしてしまい、フィルタ機能が低下する。
【００４１】
図９は、バイパスラインＰ１、Ｐ２を設けた場合のコンバータ相互間の経路を流れる循環電流の説明に供する図である。Ｄ１電流がダイオードＤ１に流れると、図９の点線で示すように、Ｃ１ｉ→Ｌ１→Ｄ１→バイパスラインＰ２またはＣ２ｉ→パイパスラインＰ１→Ｌ１→Ｄ１の経路で循環電流が流れる。したがって、循環電流はＥＭＣフィルタ１３０ＡとＥＭＣフィルタ１３０Ｂには流れなくなり、フィルタ機能の低下を阻止することができる。
【００４２】
図１０は、バイパスラインＰ１、Ｐ２を設けていない場合のＥＭＣフィルタ１３０Ｂ→Ｄ２→ＥＭＣフィルタ１３０Ａの経路を流れる循環電流の説明に供する図である。Ｄ２電流がダイオードＤ２に流れる時には、図１０の点線で示すように、太陽電池→ＥＭＣフィルタ１３０Ｂ→Ｌ２→Ｄ２→ＥＭＣフィルタ１３０Ａの経路で循環電流が流れる。
【００４３】
したがって、図１０のように循環電流が流れると、ＥＭＣフィルタ１３０ＡとＥＭＣフィルタ１３０Ｂの両方とも、磁気飽和を起こしてしまい、フィルタ機能が低下する。
【００４４】
図１１は、バイパスラインＰ１、Ｐ２を設けた場合のコンバータ相互間の経路を流れる循環電流の説明に供する図である。Ｄ２電流がダイオードＤ２に流れると、図１１の点線で示すように、Ｃ２ｉ→Ｌ２→Ｄ２→バイパスラインＰ２またはＣ１ｉ→バイパスラインＰ１→Ｌ２→Ｄ２の経路で循環電流が流れる。したがって、循環電流はＥＭＣフィルタ１３０ＡとＥＭＣフィルタ１３０Ｂには流れなくなり、フィルタ機能の低下を阻止することができる。
【００４５】
以上のように、コンバータ１２０Ａ及び１２０Ｂが動作すると、上記の図５、図７、図９、図１１に示すような経路が形成されるが、トランジスタＱ１、Ｑ２のどのステージにおいても、パイパスラインＰ１、Ｐ２が循環電流をＥＭＣフィルタ１３０ＡとＥＭＣフィルタ１３０Ｂからバイパスする。したがって、ＥＭＣフィルタ１３０ＡとＥＭＣフィルタ１３０Ｂは磁気飽和を起こさずに正常に動作でき、フィルタ機能の低下を阻止することができる。
【００４６】
なお、循環電流を流すための電源となるものは、ＥＭＣフィルタ１３０ＡとＥＭＣフィルタ１３０Ｂに並列に接続されているコンデンサＣ１ｉ、コンデンサＣ２ｉまたは太陽電池である。
【００４７】
図１３は、ノイズの低減効果を確認するための試験装置の構成図である。ＥＭＣフィルタ１３０Ａ、１３０Ｂのノイズ除去効果は、ノイズ源１５０が出力したノイズが、太陽電池とＥＭＣフィルタ１３０Ａ、１３０Ｂとの間でどのように低減されたかをＥＭＩレシーバ１６０を用いて周波数スペクトル分析し、結果を出力することで測定する。測定は、図１３に示すように、太陽電池出力を一括とし、測定箇所は、スイッチを切り替えることで、Ｐ−対地、Ｎ―対地の２箇所で行った。また、測定は、点線で示すバイパスラインがある場合と無い場合について行った。
【００４８】
なお、ノイズ源１５０は、コンバータとインバータとで構成される変換器が発生している対地ノイズを表している。ＥＭＩレシーバ１６０は、直流入力が対地に対して安定しているかどうかを観測する。対地ノイズの測定は抵抗器Ｒが接続されているコンデンサＣの電圧により行う。
【００４９】
この測定結果を図１４、図１５に示す。図１４は、バイパスラインを設けていない場合のＥＭＣフィルタのノイズ低減効果の説明図である。図１５は、バイパスラインを設けた場合のＥＭＣフィルタのノイズ低減効果の説明図である。
【００５０】
図１４と図１５の測定結果を比較してみると明らかなように、バイパスラインを設けていない場合（図中１）は、バイパスラインを設けた場合に比較して、２ＭＨｚまでの周波数帯では、格段に高いノイズを含み、ＥＭＣフィルタ１３０Ａ及び１３０Ｂによるノイズ低減効果が得られていないことがわかる。しかし、本実施形態に係る系統連系電源システム１００では、２ＭＨｚまでの周波数帯で十分なノイズ低減効果が得られていることがわかる。
【００５１】
以上のように、本実施形態に係る系統連系電源システムによれば、複数のコンバータが並列に接続される場合に発生するコンバータ間の循環電流を、バイパスラインによってＥＭＣフィルタを通過させることなく循環させることができる。このため、ＥＭＣフィルタのノイズ低減機能は、循環電流によって損なうことがない。
【符号の説明】
【００５２】
１００    系統連系電源システム、
１１０    太陽電池、
１２０Ａ、１２０Ｂ    コンバータ、
１３０Ａ、１３０Ｂ    ＥＭＣフィルタ、
１４０    インバータ、
１５０    解列用リレー、
Ｌ１、Ｌ２    コイル、
Ｄ１、Ｄ２    ダイオード、
Ｑ１、Ｑ２    トランジスタ
Ｃ１ｉ、Ｃ２ｉ    コンデンサ、
Ｐ１、Ｐ２    バイパスライン。
【図１】
2014081837.tif 000003
【図２】
2014081837.tif 000004
【図３】
2014081837.tif 000005
【図４】
2014081837.tif 000006
【図５】
2014081837.tif 000007
【図６】
2014081837.tif 000008
【図７】
2014081837.tif 000009
【図８】
2014081837.tif 000010
【図９】
2014081837.tif 000011
【図１０】
2014081837.tif 000012
【図１１】
2014081837.tif 000013
【図１２】
2014081837.tif 000014
【図１３】
2014081837.tif 000015
【図１４】
2014081837.tif 000016
【図１５】
2014081837.tif 000017